(57)【要約】 【課題】  簡単な構成で効率よく湯又は水に炭酸ガスを撹拌することで簡易な方法で炭酸泉を製造でき、かつメンテナンスも簡単な管体ユニットを提供する。【解決手段】  炭酸ガスと混合した湯又は水が流れるホース１０内部に、同種類のチェーン２９，２９あるいは異種類のチェーン２７、２９を複数本取り付け、前記複数本の同種類のチェーン２９，２９あるいは異種類のチェーン２７、２９によって、ホース１０内部を流れる炭酸ガスと混合した湯又は水を撹拌して炭酸泉を製造する管体ユニット。【選択図】図１
2015051027.tif 000002
【特許請求の範囲】
【請求項１】
ホース内部に同種類のチェーンを複数本取り付け、前記複数本のチェーンによってホース内部を流れる炭酸ガスと混合した湯又は水を撹拌して炭酸泉を製造する管体ユニット。
【請求項２】
ホース内部に異種類のチェーンを複数本取り付け、前記複数本のチェーンによってホース内部を流れる炭酸ガスと混合した湯又は水を撹拌して炭酸泉を製造する管体ユニット。
【請求項３】
小径のホースと大径のホースの端部を連結し、小径のホースの内部にチェーンを取り付け、大径のホースの内部にチェーンとコイルを取り付け、前記チェーンあるいはコイルによってホース内部を流れる炭酸ガスと混合した湯又は水を撹拌して炭酸泉を製造する管体ユニット。
【請求項４】
ホース内部に一本のチェーンを取り付け、前記一本のチェーンによってホース内部を流れる炭酸ガスと混合した湯又は水を撹拌して炭酸泉を製造する管体ユニット。
【請求項５】
前記ホースの前端に撹拌ヘッドを構成し、前記撹拌ヘッドの表面の排出孔より炭酸泉を排出することを特徴とする請求項１又は２又は３又は４記載の管体ユニット。
【発明の詳細な説明】
【技術分野】
【０００１】
本発明は、構成が簡易で取り扱いも簡便で、炭酸泉を容易に製造することができる管体ユニットに関する。
【背景技術】
【０００２】
従来より、炭酸ガスが溶解した湯又は水である炭酸泉は優れた保温作用があることが知られていて浴場等で用いられている。また炭酸ガスが体内に入ることによって皮膚の血行が改善されるという効果があるとされている。
【０００３】
このように炭酸泉が優れた効果を持つことから、これを人工的に製造する試みが行われてきた。
例えば、特許文献１に示す炭酸泉の製造装置は、温水に炭酸ガスを溶解する溶解器（４）、炭酸ガスを供給するガスボンベ（６）、炭酸ガス圧を一定に保つ減圧弁及び開閉弁からなり、溶解器は中空糸膜を介して炭酸ガスを温水に溶解せしめる構造を有し、温水導入口（３２）は蛇口直結の切替コックを先端に有するフレキシブルな温水導入管（３）と連結されており、炭酸泉導出口（３７）は給湯するためのフレキシブルな導出管（１０）に連結されているものである。
【先行技術文献】
【特許文献】
【０００４】
【特許文献１】特開平８−１９７８４号公報
【０００５】
この発明は、簡単且つコンパクトな方法で、炭酸ガスを温水に効率よく溶解させて、高濃度の炭酸泉を家庭で簡単に製造することが出来る管体ユニットを提供するものである。
【発明の概要】
【発明が解決しようとする課題】
【０００６】
しかしながら、前記特許文献１記載の発明は、溶解器は中空糸膜を介して炭酸ガスを温水に溶解せしめる構造を有しているため、構造が大型で複雑になり、メンテナンスの費用と手間がかかる等の問題点があった。
本発明はこのような従来の欠点を除去したもので、簡単な構成で効率よく炭酸泉を製造でき、メンテナンスも簡単な炭酸泉製造装置である管体ユニットを提供する。
【課題を解決するための手段】
【０００７】
請求項１に記載の発明は、ホース内部に同種類のチェーンを複数本取り付け、前記複数本のチェーンによってホース内部を流れる炭酸ガスと混合した湯又は水を撹拌して炭酸泉を製造する管体ユニットである。
【０００８】
請求項２に記載の発明は、ホース内部に異種類のチェーンを複数本取り付け、前記複数本のチェーンによってホース内部を流れる炭酸ガスと混合した湯又は水を撹拌して炭酸泉を製造する管体ユニットである。
【０００９】
請求項３に記載の発明は、小径のホースと大径のホースの端部を連結し、小径のホースの内部にチェーンを取り付け、大径のホースの内部にチェーンとコイルを取り付け、前記チェーンあるいはコイルによってホース内部を流れる炭酸ガスと混合した湯又は水を撹拌して炭酸泉を製造する管体ユニットである。
【００１０】
請求項４に記載の発明は、ホース内部に一本のチェーンを取り付け、前記一本のチェーンによってホース内部を流れる炭酸ガスと混合した湯又は水を撹拌して炭酸泉を製造する管体ユニットである。
【００１１】
請求項５に記載の発明は、前記ホースの前端に撹拌ヘッドを構成し、前記撹拌ヘッドの表面の排出孔より炭酸泉を排出することを特徴とする請求項１又は２又は３記載の管体ユニットである。
【発明の効果】
【００１２】
請求項１記載の管体ユニットによれば、ホース内部に同種類のチェーンを複数本取り付けたから、炭酸ガスと湯又は水はホース内部を通過するときにチェーンによって撹拌されるため、簡易な構成で耐久性に優れ撹拌効果が持続すると共に大量の湯又は水を効率よく撹拌することができる。
【００１３】
請求項２記載の管体ユニットによれば、ホース内部に異種類のチェーンを複数本取り付けたから、炭酸ガスと湯又は水はホース内部を通過するときにチェーンによって撹拌されるため、簡易な構成で耐久性に優れ撹拌効果が持続すると共に大量の湯又は水を効率よく撹拌することができ、さらにチェーンの種類が異なっているため撹拌効率が向上する。
【００１４】
請求項３記載の管体ユニットによれば、大径のホース内ではコイルとチェーンの両方で湯又は水の全域にわたって炭酸ガスと均一に撹拌することができ、小径のホースではチェーンのみで再度撹拌するから、撹拌効果が持続すると共に大量の湯又は水を効率よく撹拌することができる。
【００１５】
請求項４に記載の管体ユニットによれば、ホース内部に一本のチェーンを取り付けたから、炭酸ガスと湯又は水はホース内部を通過するときに一本のチェーンによって撹拌されるため、簡易な構成で耐久性に優れ撹拌効果が持続すると共に大量の湯又は水を効率よく撹拌することができる。
【００１６】
請求項５記載の管体ユニットによれば、前記請求項１乃至４のホースの前端に撹拌ヘッドを取り付けたから、炭酸ガスと湯又は水は撹拌ヘッドによってさらに撹拌され、シャワー等として使用できるのである。
【図面の簡単な説明】
【００１７】
【図１】管体ユニットの実施形態１の縦断面図
【図２】管体ユニットの実施形態１の使用態様図
【図３】管体ユニットの実施形態１の使用態様図
【図４】管体ユニットの実施形態１の使用態様図
【図５】管体ユニットの実施形態２の縦断面図
【図６】管体ユニットの実施形態３の縦断面図
【図７】チェーンの実施例を示す説明図
【図８】コイルの実施例を示す説明図
【図９】管体ユニットの実施形態４の縦断面図
【図１０】管体ユニットの実施形態４の使用態様図
【発明を実施するための形態】
【００１８】
図１に本発明の管体ユニットの実施形態１を示す。
実施形態１は、管体であるホース１０を構成し、このホース１０の内部の流路１０ａに、撹拌手段である同種類すなわち同形状のチェーン２９を２本取り付けたものである。このチェーン２９は、多数の球体部２９ｂを連結部２９ａで一定間隔に連結した形状である。
【００１９】
ホース１０の前端には、中央に湯又は水が流出する流出口１２を穿設した閉鎖板１１を設け、ホース１０の後端には炭酸ガスと混合した湯又は水を供給するホース９０が連結されている。
なお、前記閉鎖板１１は、流出口１２より炭酸泉を噴出させるために設けたものであるから、ホース１０の前端にホース９０を連結する場合には閉鎖板１１は設けなくてよい。
【００２０】
前記ホース１０の前端に固定具１８を設けチェーン２９の球体部２９ｂを係止し、後端も同様に固定具１９を設け球体部２９ｂを係止してある。
前記固定具１８、１９は、球体部２９ｂを固定できかつ湯又は水の流れを妨げない構造であり、幅の細い長方形の板材で構成されており、そのほかに網目構造のもの等を使用することができる。この固定具１８、１９によってチェーン２９，２９は流路１０ａ内に安定して配置される。
【００２１】
本実施形態の使用に際しては、ホース１０の後端を炭酸ガスと混合した湯又は水を供給するホース９０に連結し、ホース１０内に給水する。
ホース１０の流路１０ａに送られた湯又は水は、チェーン２９，２９の抵抗体である球体部２９ｂあるいは連結部２９ａに衝突し同時に撹拌されるため、炭酸ガスが自動的に湯又は水に溶解するのである。
本実施形態では、ホース１０内の長手方向に２本のチェーン２９が両端を固定されて配置されているから、チェーン２９は流れの中で揺動することと相まって撹拌効率がよくなる。
撹拌された湯又は水は、前端の流出口１２から勢いよく噴出していく。
【００２２】
前記のように本実施形態のホース１０によれば、炭酸ガスと混合した湯又は水が、ホース１０内を通過していくときにチェーン２９，２９によって自動的に撹拌され、炭酸ガスが効率よく湯又は水の中に溶解、分散していくのである。本実施形態のホース１０は、浴槽への投げ込み用として使用することができる。
【００２３】
前記チェーンの形状は本実施形態のものに限らず、様々な太さと形状、ピッチあるいは長さのものを採用でき、ホース１０内に収容する数も１本に限らず、複数本収容しても良い。
【００２４】
図７に基づいてチェーンの形状について説明する。
図７（ａ）に示すチェーン２７は、楕円形状の輪が連続したもので最も多く使用されている形状であるため、入手しやすく廉価である。
図７（ｂ）に示すチェーン２８は、円弧状の先端に係止用の輪を作り、この輪を用いて連続させたため、形状が複雑となり湯又は水と炭酸ガスの撹拌効率が高くなる。
図７（ｃ）に示すチェーン２９は、球体部２９ｂを連結部２９ａで互いに揺動自在に連設したもので、軽量であるというメリットがある。
【００２５】
本実施形態では管体としてフレキシブルなホース１０を使用したがこれに限定されず、管体としてのホースの材質は、ビニール等の合成樹脂、布、ステンレス等任意に選択でき、形状や長さも任意に決定できる。
またホース９０の径はホース１０の径と比べ、小径、同径、大径のいずれでもよい。ホース１０の前端と後端に同径のホース９０を連結し、ホース１０とホース９０を一体化した状態で使用することもできる。
【００２６】
図２は実施形態１の使用態様を示すもので、前記ホース１０の前端に撹拌ヘッド４０を取り付けたものである。
この撹拌ヘッド４０は、ホース１０の端部に固定される固定部４１を有し、この固定部４１に連結した本体部４２からなる。前記本体部４２の前端には、複数の排出孔を穿設した前板４３が構成してある。本実施形態の撹拌ヘッド４０はシャワーヘッドであるが、これに限定されず種々の形状や構造のものを採用できる。
この使用態様によれば、ホース１０で製造された炭酸泉が撹拌ヘッド４０より排出されるから、シャワーとして使用できる。
【００２７】
図３は実施形態１の他の使用態様を示すもので、浴槽１００における湯又は水を供給するホース９０の一部に、ホース１０を取り付けたものである。
ホース１０はその先端を図３のように浴槽１００の壁に取り付けるだけでなく、ホース９０の任意の位置に取り付けることができる。また、浴槽のホースに限らず、炭酸泉を必要とする装置に連結するホースに取り付けることができる。
【００２８】
この使用態様によれば、ホース９０から浴槽１００へ直接炭酸泉を供給できるため、大掛かりな炭酸泉製造装置を必要とせず、スペースも不要で費用も安く、効率も良い炭酸ガス製造器を提供できるのである。
【００２９】
図４は実施形態１の他の使用態様を示すもので、ホース１０を浴槽１００の循環ホース９１に取り付けたものである。
この使用態様は、前記のようにホース１０の前端と後端に同径のホース９０を連結してホース１０とホース９０が一体化した状態である。
本実施形態は、循環ポンプ９２により、浴槽１００内の温水を循環ホース９１によって循環させ、炭酸ガスのみ新たに炭酸ガスボンベ１１０より追加する仕組みである。ホース１０は、循環ホース９１と炭酸ガスホース９３の接続部９４以降で浴槽１００の吐出口９５との間に設置する。
【００３０】
前記構成により、炭酸ガスホース９３によって循環ホース９１に新たに追加された炭酸ガスは、循環ホース９１を通過してホース１０によって撹拌され効率よく温水に溶解していき浴槽１００に吐出されるから、浴槽１００内の温水中の炭酸ガス濃度を一定の水準に維持できる。そのため、水の追加使用を不要とするのである。
【００３１】
前記実施形態１の各使用態様は、実施形態１の管体ユニットを使用した場合を説明したが、それ以外にも後記の実施形態２、３に記載された管体ユニットも使用できるものとする。
【００３２】
図５に本発明の管体ユニットの実施形態２を示す。本実施形態は、前記ホース１０の内部の流路１０ａに撹拌手段である異なった種類すなわち異なった形状の２本のチェーン２７、２９を取り付けてなる。このチェーン２７、２９は、前記図７（ａ）及び（ｃ）に示すものであり、前端を固定具１８に後端を固定具１９に取り付けたものである。また、ホース１０の後端はホース９０と連結している。
【００３３】
このような構成の本実施形態は、前記実施形態１と同様の構成、作用、効果を奏するため重複する部分は説明を省略するが、本実施形態では、実施形態１と比べてチェーンの種類が異なるため、さらに湯又は水と炭酸ガスの撹拌効率が向上するのである。
【００３４】
図６は管体ユニットの実施形態３を示すもので、管体ユニットの縦断面図と共に前端に撹拌ヘッドを取り付けた状態の使用態様を示している。
本実施形態は、大径のホース３０と小径のホース１０の端部を連結し、小径のホース１０の流路１０ａ中にチェーン２９を取り付け、大径のホース３０の流路３０ａにはチェーン２９とコイル２３を取り付けてある。また、ホース３０の後端はホース９０と連結している。
【００３５】
大径のホース３０ではチェーン２９及びコイル２３によって、そして小径のホース１０ではチェーン２９によって、ホース内部を流れる炭酸ガスと混合した湯又は水を撹拌するのである。
【００３６】
前記実施形態によれば、大径のホース３０内ではコイル２３は水流の外側を、チェーン２９は水流の内側を撹拌するため、水流の全域にわたって均一に撹拌することができ、小径のホース１０ではチェーン２９のみで撹拌するから、撹拌効果が持続すると共に大量の湯又は水を効率よく撹拌することができる。
【００３７】
なお、チェーンは本実施形態に限らず例えば図７（ａ）及び（ｂ）に示すものを使用できる。またコイルは前記実施形態以外にも様々な太さと形状、ピッチあるいは長さのものを採用でき、ホース１０内に収容する数も１本に限らず、複数本収容しても良い。
【００３８】
図９に本発明の管体ユニットの実施形態４を示す。
実施形態４は、管体であるホース１０の内部の流路１０ａに、撹拌手段である一本のチェーン２９を取り付けたものである。このチェーン２９は、多数の球体部２９ｂを連結部２９ａで一定間隔に連結した形状である。
【００３９】
ホース１０の前端には、中央に湯又は水が流出する流出口１２を穿設した閉鎖板１１を設け、ホース１０の後端には炭酸ガスと混合した湯又は水を供給するホース９０が連結されている。
なお、前記閉鎖板１１は、流出口１２より炭酸泉を噴出させるために設けたものであるから、ホース１０の前端にホース９０を連結する場合には閉鎖板１１は設けなくてよい。
【００４０】
前記ホース１０の前端に固定具１８を設けチェーン２９の球体部２９ｂを係止し、後端も同様に固定具１９を設け球体部２９ｂを係止してある。
前記固定具１８、１９は、球体部２９ｂを固定できかつ湯又は水の流れを妨げない構造であり、幅の細い長方形の板材で構成されており、そのほかに網目構造のもの等を使用することができる。この固定具１８、１９によってチェーン２９は流路１０ａ内に安定して配置される。
【００４１】
本実施形態の使用に際しては、ホース１０の後端を炭酸ガスと混合した湯又は水を供給するホース９０に連結し、ホース１０内に給水する。
ホース１０の流路１０ａに送られた湯又は水は、チェーン２９の抵抗体である球体部２９ｂあるいは連結部２９ａに衝突し同時に撹拌されるため、炭酸ガスが自動的に湯又は水に溶解するのである。
本実施形態では、ホース１０内の長手方向に１本のチェーン２９が両端を固定されて配置されているから、チェーン２９は流れの中で揺動することと相まって撹拌効率がよくなる。
撹拌された湯又は水は、前端の流出口１２から勢いよく噴出していく。
【００４２】
本実施形態のホース１０によれば、炭酸ガスと混合した湯又は水が、ホース１０内を通過していくときに一本のチェーン２９によって自動的に撹拌され、炭酸ガスが効率よく湯又は水の中に溶解、分散していくのである。特に本実施形態は一本のチェーンであり、最も単純な構成でありながら効果に優れるのである。本実施形態のホース１０は、浴槽への投げ込み用として使用することができる。
【００４３】
図１０は実施形態４の使用態様を示すもので、前記ホース１０の前端に撹拌ヘッド４０を取り付けたものである。この撹拌ヘッド４０は、前記実施形態１の使用態様で説明した撹拌ヘッド４０と同様の構成、作用、効果のため説明を省略する。
この使用態様によれば、ホース１０で製造された炭酸泉がシャワーヘッドである撹拌ヘッド４０より排出されるから、ホース１０はシャワーホースとして用いられているのである。
【００４４】
前記コイルの実施例を図８に基づいて説明する。
コイルはホース３０の流路３０ａの任意の距離にわたって配置されていて、必要に応じ一端又は両端をホース１０、３０の端部等に係止している。図中、コイル２１、２２、２３はその一部を示していて、コイル２４は全体を示している。
【００４５】
図８（ａ）に示す実施例１のコイル２１は、全長に亘りコイルの径が同一であり、ピッチの大きいコイル２１ａと、密着して巻装したコイル２１ｂとが交互に配されている。コイル２１ａの長さは約５ｃｍである。
前記コイル２１は、コイル２１ａとコイル２１ｂとが交互に配されているため、全体が長尺となってもコイル２１ｂの働きでコイル２１ａのピッチが変化することが防止されコイル２１の形状が安定する。したがって全長にわたり後述の撹拌効果が効率よく発揮され、かつ長き使用に耐えるのである。このコイル２１は、他の実施例に比べて最も構成が単純で製作も容易であるというメリットもある。
【００４６】
図８（ｂ）に示す実施例２のコイル２２は、コイルの径が同一の部分と、コイルの径が変化する部分の組み合わせからなる。
図中左方より右方に向かい、密着して巻装した３個のコイル２２ａと、２個のピッチの大きなコイル２２ｂを交互に連続して構成し、右端のコイル２２ａに、ピッチを有し径が徐々に小さくなるコイル２２ｃを連設する。
このコイル２２ｃの右端に、密着して巻装した小径のコイル２２ｅを介して、径が徐々に大きくなるコイル２２ｆを設けて、１パターンとする。
前記コイル２２ｆの他端に前記コイル２２ａを連設することで、前記パターンを繰り返して長尺のコイルを得る。なお、コイル２２ｂは約５ｃｍ、コイル２２ｃ、２２ｆは約１０ｃｍである。
このコイル２２は、径の同一部分と、径が徐々に変化する部分を交互に設けたことで湯や炭酸ガスの流れに変化を与え、撹拌効果を高めるものである。
【００４７】
図８（ｃ）に示す実施例３のコイル２３は、径が変化するコイルの組み合わせからなる。
図中左方より右方に向かい、密着して巻装した小径のコイル２３ａと、ピッチを有し径が徐々に大きくなるコイル２３ｂと、密着して巻装した大径のコイル２３ｃと、径が徐々に小さくなるコイル２３ｅとを連設し１パターンとする。この１パターンを繰り返して長尺のものを得る。
なお、前記１パターンが約３０ｃｍであり、コイル２３ａの径Ｄ１は約４ｍｍ、コイル２３ｃの径Ｄ２は約６ｍｍである。
このコイル２３は、径の同一部分がなく、径が小から大へ、大から小へと変化することで、湯や炭酸ガスの流れに常に変化を与えることができ撹拌効果を高めるものである。本発明の各実施例の中でもっとも撹拌効果が良いと考えられる。
【００４８】
ここでコイル２３を例に、湯と炭酸ガスの撹拌作用を説明する。
図８（ｃ）の拡大図（ｃ−２）に示すように、炭酸ガスと湯ｗが左方向から流れてきて、湯ｗが矢印で示すようにコイル２３ｂ，２３ｂ・・の表面に当る。このときコイル２３ｂは径の大きさが徐々に大きくなっているから、コイル２３ｂの外側を流れる湯ｗは次々とコイル２３に当たることになり、同様にコイル２３ｅの内側を流れる湯ｗは次々とコイル２３に当たることになり、この水流によってコイル２３も揺れるため、その結果湯ｗは不規則な流れとなり十分に炭酸ガスと撹拌され、炭酸ガスが効率よく溶解していくのである。
その結果、１０００ｐｍ程度の濃度の炭酸泉が得られるのである。
【００４９】
図８（ｄ）に示す実施例４のコイル２４は、５〜１０ｃｍ程度の長さであり、図中左方より径が徐々に大きくなるピッチを有するコイル２４ａからなる。使用に際しては、このコイル２４ａをホース内に連続して配置し長尺のものとして使用する。ホースの長さによって、自由にコイル２４の長さを変えることができるというメリットがある。
【符号の説明】
【００５０】
１０  ホース（管体）    
２１、２２、２３、２４  コイル（撹拌手段）
２７、２８、２９  チェーン
３０  ホース（管体）  
４０  撹拌ヘッド（シャワーヘッド）
【図１】
2015051027.tif 000003
【図２】
2015051027.tif 000004
【図３】
2015051027.tif 000005
【図４】
2015051027.tif 000006
【図５】
2015051027.tif 000007
【図６】
2015051027.tif 000008
【図７】
2015051027.tif 000009
【図８】
2015051027.tif 000010
【図９】
2015051027.tif 000011
【図１０】
2015051027.tif 000012